(57)【要約】【課題】充電用端子を伝ってケース内に侵入した水が基板に取り付けられた電子部品に付着する事態の発生を抑制することができる技術を提供する。【解決手段】充電装置２は、電子機器を載置するためのケース１０と、ケース１０内に収容されており、充電回路に関係する電子部品が取り付けられている基板２０と、充電用端子４０と、を備えている。充電用端子４０は、一端側に接続部４２を備えており、他端側に電子機器３の端子と接触可能な接触部４２を備えており、接触部４２と接続部４６との間に、接触部４２側の高さよりも接続部４６側の高さの方が高く形成されている勾配部４８を有している。勾配部４８の接触部４２側の端部である下端部４４の下方には、電子部品が配置されていない。【選択図】図４
2018007395.tif 000002
【特許請求の範囲】
【請求項１】
電子機器を載置するためのケースと、
前記ケース内に収容されており、充電回路に関係する電子部品が取り付けられている基板と、
充電用端子と、を備えており、
前記充電用端子は、
一端側に、前記基板に取り付けられている前記電子部品と電気的に接続される接続部を備えており、
他端側に、前記ケースに設けられたケース開口部から外部に突出し、前記ケースに載置された前記電子機器側の端子と接触可能な接触部を備えており、
前記接触部と前記接続部との間に、前記接触部側の高さよりも前記接続部側の高さの方が高く形成されている勾配部分を有しており、
前記勾配部分の前記接触部側の端部である下端部の下方には、前記電子部品が配置されていない、
電子機器用充電装置。
【請求項２】
前記ケースの内側には、前記下端部の下方の特定部分と、前記基板が備えられている部分と、を区画する区画壁が設けられている、
請求項１に記載の電子機器用充電装置。
【請求項３】
前記ケースのうち、前記下端部の下方の特定部分には、外部と連通する通孔が形成されている、
請求項１又は２に記載の電子機器用充電装置。
【請求項４】
前記電子機器用充電装置を平面視した場合に、前記下端部は、前記基板の外側に配置される、
請求項１から３のいずれか一項に記載の電子機器用充電装置。
【請求項５】
前記電子機器用充電装置を平面視した場合に、前記下端部は、前記基板の上方に配置されており、前記基板のうち前記下端部の下方の部分には基板開口部が形成されている、
請求項１から３のいずれか一項に記載の電子機器用充電装置。
【発明の詳細な説明】
【技術分野】
【０００１】
本明細書で開示する技術は、電子機器を充電するための電子機器用充電装置に関する。
【背景技術】
【０００２】
特許文献１には、充電対象の電子機器を載置可能なケースと、ケース内に収容され、充電回路用の電子部品が取り付けられている基板と、基板に接続される充電用端子と、基板が装着される端子台とを備える電子機器用充電装置が開示されている。充電用端子は、一端側が基板に接続されるとともに、他端側がケースの電子機器受け部に形成された端子挿通孔から外部に突出して電子機器の端子と接続できるように構成されている。端子台の上部（即ち、基板の上方の部分）には溝状棚部が形成されている。溝状棚部は、ケースの端子挿通孔の下部に配置されている。溝状棚部の底部には通孔が形成されている。また、ケースの底部には、通孔を介してケース底部に導かれた水を排水するための排水口が形成されている。
【０００３】
特許文献１の電子機器用充電装置によると、端子挿通孔と充電用端子との間の隙間からケース内に水が侵入すると、その水は溝状棚部内に入る。溝状棚部内に入った水は、溝状棚部内を案内され、通孔を通過してケース底部に導かれる。ケース底部に導かれた水は、排水口から外部に排水される。このように、特許文献１の技術では、端子挿通孔と充電用端子との間の隙間からケース内に侵入した水が基板に取り付けられた電子部品に付着する事態が発生することの抑制を図っている。
【先行技術文献】
【特許文献】
【０００４】
【特許文献１】特開２００３−８７９８１号公報
【発明の概要】
【発明が解決しようとする課題】
【０００５】
特許文献１の電子機器用充電装置では、ケースに載置された電子機器に付着していた水が充電用端子を伝ってケース内に侵入すると、その水が充電用端子を伝って基板に到達し、基板に取り付けられた電子部品に付着してしまう事態が発生する場合がある。
【０００６】
本明細書では、充電用端子を伝ってケース内に侵入した水が基板に取り付けられた電子部品に付着する事態の発生を抑制することができる技術を提供する。
【課題を解決するための手段】
【０００７】
本明細書が開示する電子機器用充電装置は、電子機器を載置するためのケースと、ケース内に収容されており、充電回路に関係する電子部品が取り付けられている基板と、充電用端子と、を備えている。充電用端子は、一端側に、基板に取り付けられている電子部品と電気的に接続される接続部を備えており、他端側に、ケースに設けられたケース開口部から外部に突出し、ケースに載置された電子機器側の端子と接触可能な接触部を備えており、接触部と接続部との間に、接触部側の高さよりも接続部側の高さの方が高く形成されている勾配部分を有している。勾配部分の接触部側の端部である下端部の下方には、電子部品が配置されていない。
【０００８】
上記の構成によると、充電用端子は、接触部と接続部との間に勾配部分を有している。そのため、仮に、電子機器等に付着していた水が接触部から充電用端子を伝ってケース内に侵入する場合であっても、充電用端子を伝う水は、勾配部分において、接触部側の端部である下端部から接続部側の端部（即ち上端部）に向けて登ることはできない。そのため、接触部から充電用端子を伝ってケース内に侵入した水は、勾配部分の下端部から接続部側へと流れることなく、下端部から下方に落下する。そして、上記の構成によると、下端部の下方には電子部品が配置されていないため、下端部から落下した水が電子部品上に到達することもない。従って、上記の電子機器用充電装置によると、充電用端子を伝ってケース内に侵入した水が基板に取り付けられた電子部品に付着する事態の発生を抑制することができる。
【図面の簡単な説明】
【０００９】
【図１】第１実施例の充電装置の外観を模式的に示す斜視図。
【図２】図１の充電装置に電子機器を載置した様子を示す斜視図。
【図３】図１の充電装置の内部構造を模式的に示す断面説明図。
【図４】充電用端子近傍を示す拡大断面説明図。
【図５】図１の充電装置の内部構造の他の例を模式的に示す断面説明図。
【図６】充電用端子の形状の他の例を模式的に示す説明図。
【図７】第２実施例の充電装置の外観を模式的に示す斜視図。
【図８】図７の充電装置に電子機器を載置した様子を示す斜視図。
【図９】図７の充電装置の内部構造を模式的に示す断面説明図。
【発明を実施するための形態】
【００１０】
以下に説明する実施例の主要な特徴を列記しておく。なお、以下に示す技術要素は、それぞれ独立した技術要素であって、単独であるいは各種の組み合わせによって技術的有用性を発揮するものであり、出願時請求項記載の組み合わせに限定されるものではない。
【００１１】
（特徴１）ケースの内側には、下端部の下方の特定部分と、基板が備えられている部分と、を区画する区画壁が設けられていてもよい。
【００１２】
接触部から充電用端子を伝ってケース内に侵入した水は、勾配部分の下端部から下方に落下すると、ケースの内側のうちの特定部分上に到達する。上記の構成によると、ケースの内側に、特定部分と、基板が備えられている部分とを区画する区画壁が設けられているため、特定部分上に到達した水が基板側へと流れることが抑制される。
【００１３】
（特徴２）ケースのうち、下端部の下方の特定部分には、外部と連通する通孔が形成されていてもよい。
【００１４】
上記の構成によると、特定部分に通孔が形成されている。そのため、特定部分上に到達した水を通孔からケース外へと排出することができる。
【００１５】
（特徴３）電子機器用充電装置を平面視した場合に、下端部は、基板の外側に配置されてもよい。
【００１６】
この構成によると、下端部から下方に落下する水が基板に付着することがない。
【００１７】
（特徴４）電子機器用充電装置を平面視した場合に、下端部は、基板の上方に配置されており、基板のうち下端部の下方の部分には基板開口部が形成されていてもよい。
【００１８】
この構成によると、下端部から下方に落下する水は、基板開口部を通過して落下する。この構成による場合も、下端部から下方に落下する水は、基板に付着することはない。
【００１９】
（第１実施例；図１〜図４）
図１〜図４に示す充電装置２は、充電式の電子機器４（図２参照）を充電するための装置である。ここで、電子機器４は、例えば、２次元コード等の情報コードを読み取るための読取装置である。図１に示すように、充電装置２は、ケース１０と、複数本の充電用端子４０と、を備えている。図１に示すように、充電用端子４０の一部は、ケース１０の外側に突出している。そして、図３に示すように、ケース１０の内側には、基板２０がさらに収容されている。基板２０には、充電回路を構成する電子部品を含む各種電子部品（図示省略）が取り付けられている。充電用端子４０は、基板２０に取り付けられた上記電子部品と電気的に接続されている。
【００２０】
上記の通り、ケース１０は、基板２０、充電用端子４０等の充電装置２の各種内部要素（図示しない）を収容するためのケースである。ケース１０は、上ケース１０ａと下ケース１０ｂとが組み合わされて形成されている。図１及び図２に示すように、上ケース１０ａには、載置部１１と、支持部１２とが備えられている。載置部１１は、電子機器４の端部を載置可能な凹部である。支持部１２は、端部が載置部１１に載置された状態の電子機器４の背面部を支持可能な凹部である。
【００２１】
載置部１１には開口部１５が設けられている。上記の充電用端子４０の一部（即ち図３の接触部４２）は、開口部１５から載置部１１内に突出するように設けられている。これにより、電子機器４の端部が載置部１１に載置されると、電子機器４の端部に露出している端子（図示しない）と、充電用端子４０の接触部４２とが接触する。これにより、電子機器４の端子及び充電用端子４０を介して、電子機器４に内蔵されたバッテリーと、ケース１０内の基板２０に設けられている充電回路とが電気的に接続される。
【００２２】
続いて、図３及び図４を参照して、ケース１０内の構成について詳しく説明する。上記の通り基板２０は、ケース１０内に収容されている。基板２０には、充電回路を構成する電子部品を含む各種電子部品が取り付けられている。本実施例では、基板２０は、表面（即ち、図３の上側の面）がケース１０の上方（即ち上ケース１０ａ側）に向けて配置されるとともに、裏面（即ち、図３の下側の面）がケース１０の底面（即ち下ケース１０ｂ側）に向けて配置されている。言い換えると、本実施例では基板２０は、ケース１０の底面と略平行な平面に沿って配置されている。そして、基板２０には、基板開口部２２が開口されている。基板開口部２２は、基板２０のうち、充電用端子４０の接触部４２及び下端部４４（後述）の下方に設けられている。
【００２３】
充電用端子４０は、金属製の線状部材を加工して形成されている。充電用端子４０の一端側には、基板２０の電子部品と電気的に接続される接続部４６が設けられている。接続部４６は、コイルばね状に形成されているとともに、端部が基板２０に挿通されて固定されている。充電用端子４０の他端側には、上ケース１０ａの開口部１５から載置部１１内（即ちケース１０の外）に突出する接触部４２が設けられている。上記の通り、接触部４２は、載置部１１に載置された電子機器４の端子と接触可能である。図４では、電子機器４が載置部１１に載置された際の充電用端子４０を符号４０ａで示している。符号４０ａが示すように、電子機器４が載置部１１に載置されると、接触部４２が電子機器４の端子と接触することによって、接触部４２がケース１０の内側方向へと押し込まれる。
【００２４】
図４に示すように、充電用端子４０を構成する線状部材は、接触部４２から接続部４６に向かって曲げ加工されている。線状部材が曲げられることによって、接触部４２と接続部４６の間には、下端部４４と勾配部４８とが形成されている。勾配部４８は、接触部４２側の端部である下端部４４から接続部４６に向けて高さが漸次高くなる（即ち登り勾配となる）ように形成されている。本実施例では、下端部４４の高さＨ１は、接続部４６の高さＨ２より常に低い。また、上記の通り、本実施例では、接触部４２及び下端部４４は、基板開口部２２の上方に形成されている。
【００２５】
また、ケース１０の内側には、区画壁１６ａ、１６ｂが形成されている。区画壁１６ａは、上ケース１０ａの内面と一体に形成されており、基板開口部２２を通って、下ケース１０ｂの内面に到達している。区画壁１６ａにより、基板２０と、下ケース１０ｂのうちの基板開口部２２の下方部分である特定部分１９とが区画される。また、区画壁１６ｂは、下ケース１０ｂの内面と一体に形成されており、基板開口部２２の開口縁部まで伸びている。区画壁１６ｂにより、基板２０と特定部分１９とが区画される。また、特定部分１９には、外部と連通する複数個の通孔１８が開口されている。
【００２６】
以上、本実施例の充電装置２の構成を説明した。上記の通り、本実施例では、充電用端子４０は、接触部４２と接続部４６との間に勾配部４８を有している。そのため、仮に、載置部１１に載置された電子機器４に付着していた水が、接触部４２から充電用端子４０を伝ってケース１０内に侵入する場合であっても、充電用端子４０を伝う水は、接触部４２から下端部４４まで伝い降りた後、勾配部４８を接続部４６に向かって伝い登ることはできない。そのため、接触部４２から充電用端子４０を伝ってケース１０内に侵入した水は、勾配部４８の下端部４４から接続部４６へと流れることなく、下端部４４からそのまま下方に落下する。落下した水は、下端部４４の下方に形成された基板開口部２２を通過して特定部分１９上へと到達する。また、本実施例では、下端部４４の下方には、基板開口部２２が形成されており、電子部品が設けられていない。そのため、下端部４４から落下した水が電子部品に付着することもない。従って、本実施例の充電装置２によると、充電用端子４０を伝ってケース１０内に侵入した水が、基板２０に取り付けられた電子部品に付着する事態の発生を抑制することができる。
【００２７】
また、本実施例では、ケース１０内には、特定部分１９と基板２０が配置されている部分とを区画する区画壁１６ａ、１６ｂが設けられている。そのため、特定部分１９上に到達した水が基板２０側へと流れることも抑制される。水が基板２０及び電子部品に付着することをより効果的に抑制することができる。
【００２８】
また、本実施例では、特定部分１９には複数個の通孔１８が形成されている。これにより、特定部分１９上に到達した水をケース１０外へと排出させることができる。
【００２９】
（第１実施例の変形例１；図５）
図５を参照して、第１実施例の充電装置２の変形例の一つを説明する。この変形例では、基板２０の形状が図３に示すものとは異なる。図５に示す変形例では、基板２０には基板開口部（図３の符号２２参照）が設けられていない。この変形例では、充電装置２を平面視した場合、充電用端子４０の下端部４４は、基板２０の外周端部２０ａよりも外側に配置されている。言い換えると、下端部４４と基板２０とは互いに横方向にずれた位置に配置されている。この変形例による場合も、下端部４４から落下する水は、基板２０及び電子部品に付着することなく、特定部分１９上に落下する。
【００３０】
（第１実施例の変形例２；図６）
図６を参照して、第１実施例の充電装置２の変形例の他の一つを説明する。この変形例では、充電用端子４０の形状が図３、図４に示すものとは異なる。図６に示す変形例では、充電用端子４０は、接触部４２と接続部４６との間に、曲げ部４３が形成されている。本変形例では、曲げ部４３のうちの最も高さが低い部分が下端部４４であり、曲げ部４３のうちの最も高さが高い部分が上端部４５である。下端部４４と上端部４５の間は勾配部４８であり、下端部４４（即ち接触部４２側）から上端部４５（即ち接続部４６側）に向かって高さが漸次高くなる（即ち登り勾配となる）ように形成されている。図６の例では、上端部４５の高さは、接続部４６の高さよりも高い。他の例では、上端部４５の高さ及び下端部４４の高さが、どちらも、接続部４６の高さよりも高くてもよい。
【００３１】
この変形例の場合も、第１実施例と同様に、充電用端子４０を伝う水は、接触部４２から下端部４４まで伝い降りた後、勾配部４８を上端部４５に向かって伝い登ることはできない。そのため、この変形例では、上端部４５の高さは接続部４６の高さより高いが、第１実施例と同様に、接触部４２から充電用端子４０を伝ってケース１０内に侵入した水は、勾配部４８の下端部４４から接続部４６へと流れることなく、下端部４４から下方に落下する。
【００３２】
（第２実施例；図７〜図９）
図７〜図９を参照して、第２実施例の充電装置１０２について説明する。本実施例の充電装置１０２も、充電式の電子機器１０４（図８参照）を充電するための装置である。図７に示すように、充電装置１０２は、ケース１１０と、複数本の充電用端子１４０とを備えている。本実施例でも、充電用端子１４０の一部はケース１１０の外側に突出している。そして、ケース１１０の内側には、基板１２０がさらに収容されている。基板１２０には、充電回路を構成する電子部品を含む各種電子部品が取り付けられている。充電用端子１４０は、基板１２０に取り付けられた上記電子部品と電気的に接続されている。
【００３３】
上記の通り、本実施例でも、ケース１１０は、基板１２０、充電用端子４０等の各種内部要素を収容するためのケースである。図７及び図８に示すように、ケース１１０には、載置部１１１が備えられている。載置部１１１は、電子機器１０４の端部を支持及び載置可能な凹部である。載置部１１１に電子機器１０４を支持及び載置させると、載置部１１１によって電子機器１０４が保持される。電子機器１０４が載置部１１１で保持された後は、利用者が電子機器１０４を載置部１１１から取り去らない限り、電子機器１０４は載置部１１１に保持された状態で位置決めされる。
【００３４】
載置部１１１には開口部１１５が設けられている。上記の充電用端子１４０の一部（即ち図９の接触部１４２）は、開口部１１５から載置部１１１内に突出するように設けられている。これにより、電子機器１０４の端部が載置部１１１によって保持されると、電子機器４の端部に露出している端子と、充電用端子１４０の接触部１４２とが接触する。これにより、電子機器１０４の端子及び充電用端子１４０を介して、電子機器１０４に内蔵されたバッテリーと、ケース１１０内の基板１２０に設けられている充電回路とが電気的に接続される。
【００３５】
図９を参照して、ケース１１０内の構成についてさらに説明する。上記の通り、基板１２０は、ケース１１０内に収容されている。本実施例では、基板１２０は、表面（即ち、図９の右側の面）及び裏面（即ち、図９の左側の面）が、それぞれケース１１０の側方に向けて配置される。言い換えると、本実施例では、基板１２０は、ケース１１０の上面（即ち、載置部１１１の底面）と略鉛直な平面に沿って配置されている。なお、本実施例の基板１２０には、基板開口部（図３の符号２２参照）は形成されていない。
【００３６】
本実施例の充電用端子１４０も、金属製の線状部材を加工して形成されている。充電用端子１４０の一端側には、基板１２０の電子部品と電気的に接続される接続部１４６が設けられている。本実施例でも、接続部１４６は、コイルばね状に形成されているとともに、端部が基板１２０に挿通されて固定されている。充電用端子１４０の他端側には、ケース１０の開口部１１５から載置部１１１内（即ちケース１１０の外）に突出する接触部１４２が設けられている。上記の通り、接触部１４２は、載置部１１１に載置（即ち保持）された電子機器１０４の端子と接触可能である。
【００３７】
充電用端子１４０を構成する線状部材は、接触部１４２から接続部１４６に向かって曲げ加工されている。本実施例では、接触部１４２と接続部１４６との間には、曲げ部１４３が形成されている。曲げ部１４３のうちの最も高さが低い部分が下端部１４４であり、曲げ部１４３のうちの最も高さが高い部分が上端部１４５である。下端部１４４と上端部１４５の間は勾配部４８であり、下端部１４４（即ち接触部１４２側）から上端部１４５（即ち接続部１４６側）に向かって高さが漸次高くなる（即ち登り勾配となる）ように形成されている。図９の例では、上端部１４５の高さは、接続部１４６の高さよりも高い。他の例では、上端部１４５の高さ及び下端部１４４の高さが、どちらも、接続部１４６の高さよりも高くてもよい。そして、本実施例では、充電装置１０２を平面視した場合において、充電用端子１４０の下端部１４４は、基板１２０の外側に配置されている。言い換えると、下端部１４４と基板１２０とは、互いに横方向にずれた位置に配置されている。
【００３８】
本実施例でも、ケース１１０の内側には、区画壁１１６が形成されている。区画壁１１６は、ケース１１０の内面と一体に形成されており、充電用端子１４０の下方部分に設けられている。区画壁１１６により、ケース１０の内側のうち、充電用端子１４０の下方の部分である特定部分１１９と、基板２０が備えられている部分とが区画される。また、特定部分１１９には、外部と連通する通孔１１８が開口されている。
【００３９】
以上、本実施例の充電装置１０２の構成を説明した。上記の通り、本実施例では、充電用端子１４０は、接触部１４２と接続部１４６との間に勾配部１４８を有している。そのため、仮に、載置部１１１に載置された電子機器１０４に付着していた水が、接触部１４２から充電用端子１４０を伝ってケース１１０内に侵入する場合であっても、充電用端子１４０を伝う水は、接触部１４２から下端部１４４まで伝い降りた後、勾配部１４８を上端部１４５に向かって伝い登ることはできない。そのため、接触部１４２から充電用端子１４０を伝ってケース１１０内に侵入した水は、勾配部１４８の下端部１４４から接続部１４６へと流れることなく、下端部１４４から下方に落下する。落下した水は特定部分１９上へと到達する。本実施例では、充電装置１０２を平面視した場合において、充電用端子１４０の下端部１４４は、基板１２０の外側に配置されている。そのため、落下した水が基板１２０に付着することがない。即ち、本実施例によると、水が充電用端子１４０を伝って接続部１４６に到達し、基板１２０の電子部品に付着する事態の発生が抑制される。
【００４０】
また、本実施例でも、ケース１１０内には、特定部分１１９と基板１２０が配置されている部分とを区画する区画壁１１６が設けられている。そのため、特定部分１９上に到達した水が基板１２０側へと流れることも抑制される。水が基板１２０及び電子部品に付着することをより効果的に抑制することができる。
【００４１】
また、本実施例では、特定部分１１９には複数個の通孔１１８が形成されている。これにより、特定部分１１９上に到達した水をケース１１０外へと排出させることができる。
【００４２】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。例えば、以下の変形例を採用してもよい。
【００４３】
（変形例１）充電用端子の形状は、図３、図４、図６、図９に示すものに限られない。充電用端子は、接触部と接続部との間に、接触部側の高さよりも接続部側の高さの方が高く形成されている勾配部分が設けられていれば任意の形状を採用してもよい。
【００４４】
（変形例２）上記の各実施例では、ケース１０、１１０の内側には区画壁１６ａ、１６ｂ、１１６、及び、通孔１８、１１８が設けられている。変形例では、区画壁と通孔のうちの一方又は双方を省略してもよい。
【００４５】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００４６】
２：充電装置
４：電子機器
１０：ケース
１０ａ：上ケース
１０ｂ：下ケース
１１：載置部
１２：支持部
１５：開口部
１６ａ：区画壁
１６ｂ：区画壁
１８：通孔
１９：特定部分
２０：基板
２０ａ：基板の外周端部
２２：基板開口部
４０：充電用端子
４２：接触部
４３：曲げ部
４４：下端部
４５：上端部
４６：接続部
４８：勾配部
１０２：充電装置
１０４：電子機器
１１０：ケース
１１１：載置部
１１５：開口部
１１６：区画壁
１１８：通孔
１１９：特定部分
１２０：基板
１４０：充電用端子
１４２：接触部
１４３：曲げ部
１４４：下端部
１４５：上端部
１４６：接続部
１４８：勾配部
【図１】
2018007395.tif 000003
【図２】
2018007395.tif 000004
【図３】
2018007395.tif 000005
【図４】
2018007395.tif 000006
【図５】
2018007395.tif 000007
【図６】
2018007395.tif 000008
【図７】
2018007395.tif 000009
【図８】
2018007395.tif 000010
【図９】
2018007395.tif 000011